(57)【要約】      （修正有）【課題】誤った使用法で、あるいは半ば強引に使用されるような場合にも、確実なロック作用を発揮できるスイッチ構造を提供する。【解決手段】ロック具は、ボタン本体６０を回転中心として回転するロックレバー６６と、ロックレバー６６に係合連結され、ロックレバー６６と同行回転可能なロックリング６５とを備え、ロックリング６５は、ボタン本体６０の押し込み動作を規制する複数の爪を有し、ボタン本体６０には、前記爪との接当緩衝を避ける複数の逃げ部６０ａが設けられ、ロックリング６５をロックレバー６６でアンロック位置に切り換えた状態において、各爪と各逃げ部６０ａとの位相位置が一致して、ボタン本体６０の押し込みが可能であり、ロックリング６５をロックレバー６６でロック位置に切り換えた状態において、各爪がボタン本体６０の一部を受け止めて、ボタン本体６０の押し込みを規制できる。【選択図】図９
2010104792.tif 000002
【特許請求の範囲】
【請求項１】
押し込み操作されるボタン本体（６０）と、ボタン本体（６０）を押し込み不能にロックし、あるいは押し込みを許す状態に切り換え可能なロック具（３５）とを備えており、
ロック具（３５）は、ボタン本体（６０）を回転中心として回転するロックレバー（６６）と、ロックレバー（６６）に係合連結され、ロックレバー（６６）と同行回転可能なロックリング（６５）とを備えており、
ロックレバー（６６）は、ロックリング（６５）をロック位置とアンロック位置とに切り換え操作でき、
ロックリング（６５）は、ボタン本体（６０）の押し込み動作を規制する複数の爪（６７）を一体に備えたリング部（６８）を有し、
ボタン本体（６０）には、前記爪（６７）との接当を避ける複数の逃げ部（６０ａ）が設けられており、
ロックリング（６５）をロックレバー（６６）でアンロック位置に切り換えた状態において、各爪（６７）と各逃げ部（６０ａ）との位相位置が一致して、ボタン本体（６０）の押し込みが可能であり、
ロックリング（６５）をロックレバー（６６）でロック位置に切り換えた状態において、各爪（６７）がボタン本体（６０）の一部を受け止めて、ボタン本体（６０）の押し込みを規制できるようになっており、
リング部（６８）の周面には脚部（７３）を介して円弧部が一体に設けられていることを特徴とするスイッチ。
【請求項２】
ロック具（３５）とボタン本体（６０）を組み付けた状態において、円弧部がロックレバー（６６）外周よりも外に位置することを特徴とする請求項１に記載のスイッチ。
【請求項３】
円弧部をリング部（６８）周面の対称となる位置に設けていることを特徴とする請求項１又は２に記載のスイッチ。
【請求項４】
上記請求項１ないし３のいずれかに記載のスイッチを機器本体（１）の外面に備えたことを特徴とする小型電気機器。
【発明の詳細な説明】
【技術分野】
【０００１】
この発明は、電気かみそりやヘアドライヤー等の小型電気機器に関する。
【背景技術】
【０００２】
この種のスイッチ構造を備える小型電気機器として、本出願人は先に提案している（特許文献１）。そこでは、図１８ないし図２０に示すように構成している。つまり、ロック具は外導光板８０の上部壁を内外に挟んで配置される外面側のスライドノブ８１と内面側の節度ピース８２とからなり、上方の待機位置と下方のロック位置とに上下スライド可能に外導光板８０で案内支持してある。図２０に想像線で示すように、スライドノブ８１をロック位置へ押し下げると、その下端のロック片８３がボタン本体８４の周壁に設けた係合溝８５内へ入り込んで、ボタン本体８４が押し込み操作されるのを阻止できる。この切り換え位置を保持するために節度ピース８２を設け、スライドノブ８１の内面に設けた係合片８６を節度ピース８２に係合連結し、両者８１・８２を同行スライドできるようにしている。節度ピース８２には弾性変形可能な一対の弾性脚８７が設けてあり、弾性脚８７が外導光板８０の内面に設けた節度ピン８８（図２０参照）を上下に乗り越えて移動することによって、クリック感が得られるようにしてある。符号８９はスイッチ、９０は基板、９１は内導光体である。
【先行技術文献】
【特許文献】
【０００３】
【特許文献１】特願２０００−５３６５（特開２００１−１９５０１９）
【発明の開示】
【発明が解決しようとする課題】
【０００４】
上記のロック具は、適正に使用する限り問題なくロック機能を発揮できる。しかし、ボタン本体８４の周壁１箇所に設けた係合溝８５をロック片８３で受け止めて、ボタン本体８４の押し込み操作を規制しているだけであるため、誤った使用法で、あるいは半ば強引に使用されるような場合に、ロック機能が無効化されることがある。例えば、ロック片８３と係合溝８５との係合が不十分であったり、ボタン本体８４を無理やり押し込み操作するような場合に、ロック片８３が変形してスイッチ８９がオン操作され、あるいはボタン本体８４が傾いた状態で押し込まれてスイッチ８９がオン操作されるおそれがあった。
【０００５】
この発明の目的は、上記のロック機能をさらに強化して、半ば強引に使用されるような場合にも、確実なロック作用を発揮できるようにする。
【課題を解決するための手段】
【０００６】
本発明のスイッチは、押し込み操作されるボタン本体６０と、ボタン本体６０を押し込み不能にロックし、あるいは押し込みを許す状態に切り換え可能なロック具３５とを備えており、ロック具３５は、ボタン本体６０を回転中心として回転するロックレバー６６と、ロックレバー６６に係合連結され、ロックレバー６６と同行回転可能なロックリング６５とを備えており、ロックレバー６６は、ロックリング６５をロック位置とアンロック位置とに切り換え操作でき、ロックリング６５は、ボタン本体６０の押し込み動作を規制する複数の爪６７を一体に備えたリング部６８を有し、ボタン本体６０には、前記爪６７との接当を避ける複数の逃げ部６０ａが設けられており、ロックリング６５をロックレバー６６でアンロック位置に切り換えた状態において、各爪６７と各逃げ部６０ａとの位相位置が一致して、ボタン本体６０の押し込みが可能であり、ロックリング６５をロックレバー６６でロック位置に切り換えた状態において、各爪６７がボタン本体６０の一部を受け止めて、ボタン本体６０の押し込みを規制できるようになっており、リング部６８の周面には脚部７３を介して円弧部が一体に設けられていることを特徴とする。
【０００７】
また、本発明のスイッチは、ロック具３５とボタン本体６０を組み付けた状態において、円弧部がロックレバー６６外周よりも外に位置することを特徴とする。
【０００８】
また、本発明のスイッチは、円弧部をリング部６８周面の対称となる位置に設けてあることを特徴とする。
【０００９】
さらに、上記スイッチを小型電気機器における機器本体１の外面に備えることを特徴とする。
【発明の効果】
【００１０】
ボタン本体６０を、複数の爪６７で受け止めることができるので、従来のロック具のロック機能をさらに強化することができ、半ば強引に使用されるような場合にも、確実なロック作用を発揮できる。
【図面の簡単な説明】
【００１１】
【図１】電気かみそりの正面図である。
【図２】電気かみそりの斜視図である。
【図３】かみそりユニットの縦断側面図である。
【図４】かみそりユニットを分離した状態での本体ケースの縦断面図である。
【図５】発光表示装置の分解側面図である。
【図６】発光表示装置の分解斜視図である。
【図７】光源と導光体の関係構造を示す断面図である。
【図８】切換ボタンの周辺構造を示す縦断側面図である。
【図９】ロック具と切換ボタンとの関係を示す分解斜視図である。
【図１０】図８におけるＡ−Ａ線断面図で、アンロック状態を示している。
【図１１】図１０におけるＢ−Ｂ線断面図である。
【図１２】ロック状態を示す図１０と同等の断面図である。
【図１３】図１２におけるＣ−Ｃ線断面図である。
【図１４】図７におけるＤ−Ｄ線断面図である。
【図１５】導光体における光の伝達状態を示す説明図である。
【図１６】発光表示装置の変形例を示す正面図である。
【図１７】発光表示装置の比較例を示す断面図である。
【図１８】ロック具の比較例を示す断面図である。
【図１９】比較例に係るロック具の分解斜視図である。
【図２０】比較例に係るロック具の背面図である。
【発明を実施するための形態】
【００１２】
図１ないし図１５はこの発明のスイッチ構造を水洗い式の電気かみそりに適用した実施例を示す。図２ないし図５において電気かみそりは、上面および下面が開口する筒状の本体ケース（機器本体）１と、本体ケース１に対して上面の開口から差し込み装填されるかみそりユニット２と、下面側のケース開口を塞ぐ底ケース３と、本体ケース１の前外面に装着される前カバー４および発光表示装置と、ケース後面の上下に配置されるきわぞり刃ユニット６および切換ノブ７などを備えている。
【００１３】
図４において、かみそりユニット２は、モーター１０、二次電池１１、および回路基板１２などの電気部品を集約配置したシャーシユニット１３と、その上部に設けられるヘッドユニット１４と、シャーシユニット１３の上部に配置した防水シール１５などで構成する。ヘッドユニット１４には、前後一対の回転内刃１６と、外刃１７、およびモータ動力を回転内刃１６や先のきわぞり刃ユニット６へ伝える伝動機構が設けられる。
【００１４】
回路基板１２の前面には、モータ起動用のチップ状のスイッチ１９と、運転モードを切り換えるチップ状のスイッチ２０が配置され、さらに、発光表示装置用の光源（チップ型の発光ダイオード）２１と、４個の運転モード表示用のチップ型の発光ダイオード２２と、充電状態表示用のチップ型の発光ダイオード２３とが配置してある。かみそりユニット２を本体ケース１に組み付けた状態において、防水シール１５は本体ケース１の内面に密接してケース内を水密に保持する。図示していないが、モーター１０の出力軸まわりにも専用の防水シールを設けている。底ケース３には充電用のコネクターを設けてあり、底ケース３を防水シールを介して本体ケース１に下面から組み、さらに底ケース３とシャーシユニット１３とをビスで締結することにより、本体ケース１の下面側開口を水密に保持している。
【００１５】
モーター１０が起動状態であることを表示し、さらに運転モードや、充電時あるいは交流電源での使用状態であることなどを表示するために発光表示装置を設けている。図５において、発光表示装置は、本体ケース１の前外面に配置される縦長の導光体２５と、先の回路基板１２に配置した光源２１および各発光ダイオード２２・２３と、光源２１の放射光を導光体２５へ伝送案内する中間導光体２６と、残る発光ダイオード２２・２３の放射光をケース外へ伝送案内する第１表示ピース（表示具）２７、および第２表示ピース（表示具）２８などで構成する。
【００１６】
図６において導光体２５は、それぞれ透明プラスチック材で形成される外面側の外導光体３０と、その内面に隣接配置される内導光体３１とで内外二重に構成し、外導光体３０と内導光体３１とは超音波溶着して一体化してある。この導光体２５の面壁３２を利用して、先のスイッチ１９・２０をオン・オフ操作する切換ボタン３３・３４と、切換ボタン３３の切り換え操作を阻止するロック具３５とを設け、さらに第１表示ピース２７、および第２表示ピース２８を設けている。
【００１７】
外導光体３０は上下に長い下すぼまり板状のプラスチック成形品からなり、左右幅方向の大半を占める面壁３２と、その面壁３２の両側縁に連続して傾斜する左右一対の発光部３７とで外膨らみ状に形成し、発光部３７の下端左右に座部３８を一体に張出している（図１４参照）。左右の発光部３７のみから表示光を放射するために、面壁３２の外面に遮光体３９を設ける。遮光体３９は、クロムやアルミニウムなどの、光を通さない金属箔の片面に熱溶解性の接着剤層を積層したホットスタンプシートや、金属蒸着フィルム等を熱圧着して面壁３２に固定してあり、その金属層によって外導光体３０内の伝送光が面壁３２から放射するのを阻止する。このように、透明な面壁３２を遮光体３９で遮光してその両側に発光部３７を設けると、左右一対の縦長の発光部３７を１個の外導光体３０のみで形成できる。見た目の印象を鮮烈なものとするために、左右の発光部３７は図１に示すように、光源２１に最も近くて輝度が高い外導光体３０の下部において繋がっている。
【００１８】
内導光体３１は外導光体３０の外郭線に沿う縦に長い無端枠体からなり、外導光体３０との接合面の側に、光を導光体２５の前外面へ向かって反射する反射面４１を形成し、本体ケース１との接合面に、光を全反射する白色の印刷層が形成してある。図７に示すように反射面４１は、外導光体３０の側へ向かって膨出する一群の連続突弧面からなり、上下一様に設けてある。この反射面４１を設けることによって、内外の両導光体３０・３１とは屈折率の異なる空気層４２が、両者３０・３１の間に形成される。導光体２５を本体ケース１に組み付けた状態において、外導光体３０の座部３８は前カバー４で覆われている。また、本体ケース１に設けた反射壁８（図１４参照）が、発光部３７の内面に内嵌する状態で密着している。反射壁８は不透明であって発光部３７の形成領域に沿って上下に長く形成してある。反射壁８は外導光体３０内の伝送光が遮光体３９の側へ漏洩するのを阻止して、表示光の伝送効率を向上する。
【００１９】
中間導光体２６は、左右横長のプリズム部４４と、座部４５と、軸部４６とを一体に形成した透明材製のプラスチック成形品からなり、図７に示すように軸部４６の突端面が発光ダイオード２１の発光端面と対向する状態で、本体ケース１に熱溶着してある。熱溶着した部分は軸部４６用の挿通穴を防水するためのシールを兼ねている。導光体２５を本体ケース１に組み付けた状態において、プリズム部４４の出光面４７は、内外の両導光体３０・３１の下端面と上下に接近対向しており、プリズム部４４の左右幅を、両導光体３０・３１の下端面の左右幅とほぼ同幅にすることにより、光源２１の放射光を左右の発光部３７へ同時に伝送できるようにしている。
【００２０】
図６において第１表示ピース２７は、四角形状の座板４９の外面に４個の出光突起５０を一体に成形した透明材製のプラスチック成形品からなり、座板４９を本体ケース１に熱溶着して固定する。各出光突起５０は、上から順にモーター回転数が最大の状態であることを示すパワフルモードであること、モーター回転数がパワフルモードより幾分低下したノーマルモードであること、モーター回転数がノーマルモードからさらに低下したマイルドモードであることをそれぞれを表示し、一番下の出光突起５０は運転モードがオートであることを表示する。これらのモードは、切換ボタン３４を操作してスイッチ２０を切り換えることにより変更できる。運転モードがオートの場合には、ひげの濃さや、外刃１７の肌への押し当て力などの違いに基づく負荷変動に応じて、モーター１０の駆動回転数を自動的に切り換える。負荷が大きい場合には、モーター回転数を高速状態に切り換え、負荷が小さい場合には、モーター回転数を低速状態に切り換えるのである。充電表示用の第２表示ピース２８は、座板５１に１個の出光突起５２を備えた、透明材製のプラスチック成形品からなり、第１表示ピース２７と同様に座板５１を本体ケース１に熱溶着する。
【００２１】
図７において運転モードを切り換える切換ボタン３４は、四角形状の押しボタン５４と、外導光体３０の内面に配置されて押しボタン５４を出没自在に案内支持するボタンホルダー５５と、押しボタン５４を押し出し付勢するばね５６と、断面ハット形の防水パッキン５７とからなる。ボタンホルダー５５は、先の第１、第２の両表示ピース２７・２８を利用して本体ケース１に固定してある。
【００２２】
図８および図９において、切換ボタン３３は、丸いボタン本体６０と、ボタン本体６０に圧嵌連結した軸部６１とからなり、本体ケース１に設けたボス６２でボタン本体６０および軸部６１を出没自在に案内し、圧縮コイル型のばね６３でケース前外面へ向かって押し出し付勢してある。軸部６１とボス６２との間は、防水用のゴムリング６４でシールしてある。切換ボタン３３は、次に説明するロックレバー６６で抜け止め保持してある。
【００２３】
先に説明したスイッチ１９は、軸部６１が接当する毎にオン状態とオフ状態に切り換わる。そのため、ひげそり途中に誤って切換ボタン３３に触れてしまうと、スイッチ１９がオフ状態に切り換わる。あるいは、子供のいたずらによって、スイッチ１９がオン操作されることもある。こうしたスイッチ１９の不必要な切り換わりを阻止するために、ロック具３５を設けている。
【００２４】
先の出願に係る特願２０００−５３６５においては、ロック具を図１８ないし図２０に示すように構成していた。ロック具は外導光板８０の上部壁を内外に挟んで配置される外面側のスライドノブ８１と内面側の節度ピース８２とからなり、上方の待機位置と下方のロック位置とに上下スライド可能に外導光板８０で案内支持してある。図２０に想像線で示すように、スライドノブ８１をロック位置へ押し下げると、その下端のロック片８３がボタン本体８４の周壁に設けた係合溝８５内へ入り込んで、ボタン本体８４が押し込み操作されるのを阻止できる。この切り換え位置を保持するために節度ピース８２を設け、スライドノブ８１の内面に設けた係合片８６を節度ピース８２に係合連結し、両者８１・８２を同行スライドできるようにしている。節度ピース８２には弾性変形可能な一対の弾性脚８７が設けてあり、弾性脚８７が外導光板８０の内面に設けた節度ピン８８（図２０参照）を上下に乗り越えて移動することによって、クリック感が得られるようにしてある。符号８９はスイッチ、９０は基板、９１は内導光体である。
【００２５】
上記のロック具は、適正に使用する限り問題なくロック機能を発揮できる。しかし、ボタン本体８４の周壁１箇所に設けた係合溝８５をロック片８３で受け止めて、ボタン本体８４の押し込み操作を規制しているだけであるため、誤った使用法で、あるいは半ば強引に使用されるような場合に、ロック機能が無効化されることがある。例えば、ロック片８３と係合溝８５との係合が不十分であったり、ボタン本体８４を無理やり押し込み操作するような場合に、ロック片８３が変形してスイッチ８９がオン操作され、あるいはボタン本体８４が傾いた状態で押し込まれてスイッチ８９がオン操作されるおそれがあった。
【００２６】
上記のロック機能をさらに強化して、誤った使用法で、あるいは半ば強引に使用されるような場合にも、確実なロック作用を発揮できるようにするために。この発明では、ロック具３５を次のように構成した。図８および図９に示すように、ロック具３５は、本体ケース１に組み付けられるロックリング６５と、ロックリング６５を切り換え操作するロックレバー６６とからなり、ロックリング６５をロック位置とアンロック位置との間で回転変移することにより、ボタン本体６０を押し込み不能にロックし、あるいは押し込みを許すように構成してある。
【００２７】
図９に示すように、ロックリング６５は内面に３個の爪６７が突設してあるリング部６８を有し、その周面上下に弾性変形可能な節度枠６９を一体に成形してなる。節度枠６９は部分円弧状に形成されて両端の脚部７３がリング部６８に繋がっており、円弧部の外周面に節度突起７０が突設してある。リング部６８は本体ケース１に設けたボス７１で回転自在に支持されている。ボス７１の上下には横長の規制片７２が突設してあり、これら規制片７２の上下間隔は、節度枠６９の対向間隔より僅かに大きく、しかし、節度突起７０の上下間隔よりは小さく設定してある。従って、ロックリング６５をロックレバー６６で切り換え操作するとき、節度枠６９はリング部６８の周面に近づくように弾性変形し、節度突起７０は規制片７２に圧接した状態のままで、左右に摺動する。ボタン本体６０の押し込み操作を許す状態では、節度突起７０は図１０に示す位置で待機しており、ボタン本体６０の押し込み操作をロックする状態では、節度突起７０は規制片７２をくぐり抜けて、図１２に示す位置へと切り換わる。
【００２８】
ロックレバー６６は、ボタン本体６０および先のリング部６８に被さる多段筒状のレバーボス７４と、レバーボス７４の外面開口縁から下向きに突設されるレバー７５とを一体に形成したプラスチック成形品からなり、その表面には金属メッキが施してある。レバーボス７４の円周壁の４箇所には、連結溝７６が切り欠き形成してあり、これらの連結溝７６を先の脚片７３と係合することにより、ロックレバー６６でロックリング６５を切り換え操作できる。
【００２９】
先に説明したように、ロックリング６５はロック位置からアンロック位置へ切り換え操作されて、リング部６８に設けた爪６７でボタン本体６０を押し込み不能にロックする。この爪６７を避けてボタン本体６０を押し込み可能とするために、ボタン本体６０の周壁の３箇所に逃げ部６０ａを切り欠き形成している。逃げ部６０ａの切り欠き長さは、ボタン本体６０の押し込みストロークに一致している。これらの逃げ部６０ａの隣には、爪６７で受け止められる段部６０ｂを設ける。ロックリング６５を切り換え操作するとき、ボタン本体６０が連れまわされるのを防ぐために、本体ケース１の側に規制突起７７を突設し、この突起７７に対応してボタン本体６０の周壁の１箇所に係合溝７８を切り欠き形成している。
【００３０】
ロック具３５とボタン本体６０を本体ケース１に組み付けた状態において、ロックリング６５がアンロック位置にある状態を図１０および図１１に示し、ロック位置に切り換えられた状態を図１２および図１３に示している。但し、図１０、図１２はロック具３５とボタン本体６０、および導光体２５等を、背面（本体ケース１の側）から見ており、左右が反転している点に注意すべきである。
【００３１】
アンロック位置におけるロックリング６５は、上下の節度突起７０が規制片７２に対して図１０に向かって１時と７時の位置で接当しており、その爪６７とボタン本体６０の逃げ部６０ａの位相位置は一致している。従って、ボタン本体６０は爪６７と干渉することはなく、押し込み操作できる。この状態から、ロックレバー６６を図１０において矢印方向へ変位操作すると、ロックリング６５はロック位置へ回動し、図１２に示すように、その節度突起７０が規制片７２に対して図に向かって１１時と５時の位置へと変位する。このとき、爪６７は逃げ部６０ａから段部６０ｂと向き合う位置へと変位する。従って、ボタン本体６０を押し込み操作したとしても、図１３に示すようにその段部６０ｂが爪６７に受け止められるので、ボタン本体６０が押し込む操作されることはなく、従ってスイッチ１９が切り換ることはない。なお、ロックレバー６６の切り換え限界は、爪６７を逃げ部６０ａと段部６０ｂの周方向側縁で受け止めることによって規制してある。
【００３２】
ＤＣモードでは、切換ボタン３３を押し込んでスイッチ１９をオン操作することにより、 モーター１０が起動する。このとき、充電表示用の発光ダイオード２３は消灯している。発光表示装置の光源２１は基本的に点灯するが、二次電池１１の残りの電池容量に応じて点灯状態が変化する。電池容量が十分にある場合（2.２Ｖ以上）には光源２１は連続して点灯する。しかし、二次電池１１の電圧が一定値以下（2.１〜2.２Ｖ）になると、光源２１はゆっくりと点滅して、軽度の警告を発する。さらに電圧が降下して所定値（2.１Ｖ）以下になると、光源２１を急速に点滅させて、速やかに充電すべきであることを表示する。スイッチ１９がオフ操作された後も、光源２１は、一定時間（数秒間）点灯されて、モーター１０が停止する直前の二次電池１１の電圧状態に応じて、連続点灯し、ゆっくりと点滅し、あるいは急速に点滅して電池状態を表示（残光表示という）したのち消灯する。
【００３３】
ＡＣモードでは、ＡＣ入力とスイッチ１９のオン操作とによって、モーター１０が起動し、充電表示用の発光ダイオード２３と、光源２１が点灯される。この場合も、ＤＣモードと同様に二次電池１１の電圧状態に応じて、光源２１の点灯状態を変化させる。スイッチ１９がオフ操作された後、残光表示を行う点も同じである。
【００３４】
充電モードでは、充電表示用の発光ダイオード２３のみが点灯して、ＡＣ電源が入力され充電中であることを表示する。充電が完了して二次電池１１の電圧が所定値に復帰すると、発光ダイオード２３を消灯し、充電回路を遮断して待機モードへ移行する。
【００３５】
スイッチ１９を一定時間連続してオン操作すると、デモモードに切り換わる。このデモモードでは、スイッチ１９がオン操作されていてもモーター１０は停止され、発光表示装置の光源２１の点灯状態を連続点灯、ゆっくりした点滅、急速点滅、消灯の順に、一定時間ずつ表示する。このモード状態で再度スイッチ１９が切り換わると、デモモードが解除され、待機モードへ移行する。デモモードにおいてＡＣ入力があると、デモモードは解除され、充電モードへ移行して充電を開始する。
【００３６】
導光体２５における、表示光の伝わり方を図１５の模式図に示す。光源２１から放射された光は、中間導光体２６のプリズム部４４で変向されて、内外の両導光体３０・３１の内部へ入る。この入射光の一部は、符号ａで示すように内導光体３１の内外面において連続山形に反射屈折して上向きに伝送される。このとき、空気層４２と内導光体３１との境界面においては、空気層４２の屈折率が内導光体３１の屈折率より充分に低いので、伝送光が境界面で反射屈折する入射角度範囲を大きくできる。また、伝送光の一部は、反射面４１と外導光体３０のない面壁との間で繰り返し反射されて空気層４２の内部を上方へ向かって移行する（符号ｂ参照）。
【００３７】
先の境界面を通り抜けた一部の光は、空気層４２で屈折した後、外導光体３０で反射されて再び上方へ伝送され、その一部は外導光体３０の内部へ入り込んで、そのまま導光体２５の外へ出るか、伝送光の入射角によっては、外導光体３０の前外面において反射屈折しながら上方へ向かって移行し（符号ｃ参照）、あるいは後内面を通りぬけて空気層４２内へ再度入り込む。このように、導光体２５へ入射した光の大半は、内外の導光体３０・３１と空気層４２との間で反射屈折を繰り返しながら案内されるので、上方への到達光量を増加し、導光体２５の上下方向の広い範囲にわたって明確な発光表示を行える。各反射面４１は外導光体３０へ向かって膨出する連続突弧面に形成してある。従って各突弧面の隣接入隅部分が高輝度に表示され、突弧面の弧頂部に近付くに従って輝度が漸減する。
【００３８】
図１６は発光表示装置の別の実施例を示す。そこでは、前カバー４の前壁の左右に上下に長い２個の導光体２５を配置して、左右一対の発光部３７を形成した。一対の発光部３７の間の面壁３２には、先の実施例と同様に切換ボタン３３・３４と、切換ボタン３３の切り換え操作を阻止するロック具３５とを設け、さらに第１表示ピース２７、および第２表示ピース２８を設けた。この場合の面壁３２は、前カバー４の前壁で形成されるので、遮光壁３９を設ける必要はない。
【００３９】
上記以外に、中間導光体２６は必ずしも必要ではなく、光源２１の放射光を導光体２５に直接入射することができる。また、導光体２６の上下中途部に、光源２１を受け入れる穴を設けておき、光源２１の放射光を導光体２５に入射することができる。このように光源２１の導光体２５に対する配置位置は任意に選択できる。光源２１は発光ダイオード以外の発光器であってもよい。
【００４０】
反射面４１は外導光体３０の内面に形成することができる。反射面４１は多角錐状や部分球状の突起で形成することができる。導光体２５の外形形状は円形や楕円形など任意に選択できる。ロックリング６５に設ける爪６７は、その周方向の隣接間隔がほぼ均等であれば２個以上の任意個数を設けることができる。
【００４１】
上記の実施例で説明したロック具３５は、以下に付記する実施形態で実施することができる。
（実施形態１）  本体ケース１で出没自在に、しかし回転は不能に支持されるボタン本体６０と、ボタン本体６０を押し込み不能にロックし、あるいは押し込みを許す状態に切り換え可能なロック具３５とを備えており、
ロック具３５は、本体ケース１で回転変位可能に支持されるロックリング６５と、ボタン本体６０に外嵌して、ロックリング６５をロック位置とアンロック位置とに切り換え操作するロックレバー６６とを備えており、
ロックリング６５は、ボタン本体６０の外郭線内に入り込んでボタン本体６０の押し込み動作を規制する複数の爪６７を有し、
ボタン本体６０には、前記爪６７との接当緩衝を避ける複数の逃げ部６０ａが設けられており、
ロックリング６５をロックレバー６６でアンロック位置に切り換えた状態において、各爪６７と各逃げ部６０ａとの位相位置が一致して、ボタン本体６０の押し込みが可能であり、
ロックリング６５をロックレバー６６でロック位置に切り換えた状態において、各爪６７がボタン本体６０の一部を受け止めて、ボタン本体６０の押し込みを規制できるロック具３５を備えたスイッチ構造。
この実施形態によれば、ボタン本体６０を、複数の爪６７で受け止めることができるので、従来のロック具のロック機能をさらに強化して、誤った使用法で、あるいは半ば強引に使用されるような場合にも、確実なロック作用を発揮できる。
【００４２】
（実施形態２）  ロックリング６５が、複数の爪６７を一体に備えたリング部６８を有し、リング部６８と本体ケース１との間に、ロックリング６５をロック位置とアンロック位置との各位置で位置保持する節度構造が設けられており、
節度構造は、リング部６８の周面に突設された弾性変形可能な節度枠６９と、節度枠６９に突設した節度突起７０と、本体ケース１に突設されて、節度突起７０のくぐりぬけを規制する規制片７２とを含み、
ロックリング６５をロックレバー６６でアンロック位置とロック位置とに切り換える状態において、節度枠６９が弾性変形して節度突起７０が規制片７２をくぐりぬけるように構成してあるロック具３５を備えたスイッチ構造。
この実施形態によれば本体ケース１に設けた規制片７２と、ロックリング６５と一体に設けた節度枠６９、および節度突起７０とで節度構造を構成するので、ロック具の構成部品点数を減少し、その分だけロック具構造を簡素化できる。
【００４３】
（実施形態３）  ロックレバー６６が、ボタン本体６０およびロックリング６５のリング部６８に被さる筒状のレバーボス７４と、レバーボス７４から突設されるレバー７５とを備えており、
レバーボス７４に形成した複数の連結溝７６を、ロックリング６５の節度枠６９の基端部に係合して、ロックリング６５がロックレバー６６と同行回転可能に構成してあるロック具３５を備えたスイッチ構造。
この実施形態によれば、節度枠６９を利用して、ロックリング６５とロックレバー６６を同行回転可能に係合連結するので、ロックリング６５に連結構造を別途設ける必要がなく、その分だけロック具３５の構造を簡素化できる。また、レバーボス７４の筒壁に連結溝７６を設けて、ロックリング６５をこの溝７６と係合するので、より簡単な構造の金型でロックレバー６６を成形できる。
【符号の説明】
【００４４】
１    本体ケース
１２  回路基板
２１  発行ダイオード
２５  導光体
２６  中間導光体
２７・２８  表示具
３２  面壁
３５  ロック具
３７  発光部
３９  遮光体
６０  ボタン本体
６０ａ  逃げ部
６５  ロックリング
６６  ロックレバー
６７  爪
【図１】
2010104792.tif 000003
【図２】
2010104792.tif 000004
【図３】
2010104792.tif 000005
【図４】
2010104792.tif 000006
【図５】
2010104792.tif 000007
【図６】
2010104792.tif 000008
【図７】
2010104792.tif 000009
【図８】
2010104792.tif 000010
【図９】
2010104792.tif 000011
【図１０】
2010104792.tif 000012
【図１１】
2010104792.tif 000013
【図１２】
2010104792.tif 000014
【図１３】
2010104792.tif 000015
【図１４】
2010104792.tif 000016
【図１５】
2010104792.tif 000017
【図１６】
2010104792.tif 000018
【図１７】
2010104792.tif 000019
【図１８】
2010104792.tif 000020
【図１９】
2010104792.tif 000021
【図２０】
2010104792.tif 000022
【手続補正書】
【提出日】平成22年3月18日(2010.3.18)
【手続補正１】
【補正対象書類名】特許請求の範囲
【補正対象項目名】請求項１
【補正方法】変更
【補正の内容】
【請求項１】
押し込み操作されるボタン本体（６０）と、ボタン本体（６０）を押し込み不能にロックし、あるいは押し込みを許す状態に切り換え可能なロック具（３５）とを備えており、
ロック具（３５）は、ボタン本体（６０）を回転中心として回転するロックレバー（６６）と、ロックレバー（６６）に係合連結され、ロックレバー（６６）と同行回転可能なロックリング（６５）とを備えており、
ロックレバー（６６）は、ロックリング（６５）をロック位置とアンロック位置とに切り換え操作でき、
ロックリング（６５）は、ボタン本体（６０）の押し込み動作を規制する複数の爪（６７）を一体に備えたリング部（６８）を有し、
ボタン本体（６０）には、前記爪（６７）との接当を避ける複数の逃げ部（６０ａ）が設けられており、
ロックリング（６５）をロックレバー（６６）でアンロック位置に切り換えた状態において、各爪（６７）と各逃げ部（６０ａ）との位相位置が一致して、ボタン本体（６０）の押し込みが可能であり、
ロックリング（６５）をロックレバー（６６）でロック位置に切り換えた状態において、各爪（６７）がボタン本体（６０）の一部を受け止めて、ボタン本体（６０）の押し込みを規制できるようになっており、
リング部（６８）の周面上に、脚部（７３）を介して円弧部が一体に設けられていることを特徴とするスイッチ。
【手続補正２】
【補正対象書類名】明細書
【補正対象項目名】０００６
【補正方法】変更
【補正の内容】
【０００６】
本発明のスイッチは、押し込み操作されるボタン本体６０と、ボタン本体６０を押し込み不能にロックし、あるいは押し込みを許す状態に切り換え可能なロック具３５とを備えており、ロック具３５は、ボタン本体６０を回転中心として回転するロックレバー６６と、ロックレバー６６に係合連結され、ロックレバー６６と同行回転可能なロックリング６５とを備えており、ロックレバー６６は、ロックリング６５をロック位置とアンロック位置とに切り換え操作でき、ロックリング６５は、ボタン本体６０の押し込み動作を規制する複数の爪６７を一体に備えたリング部６８を有し、ボタン本体６０には、前記爪６７との接当を避ける複数の逃げ部６０ａが設けられており、ロックリング６５をロックレバー６６でアンロック位置に切り換えた状態において、各爪６７と各逃げ部６０ａとの位相位置が一致して、ボタン本体６０の押し込みが可能であり、ロックリング６５をロックレバー６６でロック位置に切り換えた状態において、各爪６７がボタン本体６０の一部を受け止めて、ボタン本体６０の押し込みを規制できるようになっており、リング部６８の周面上に、脚部７３を介して円弧部が一体に設けられていることを特徴とする。